(57)【特許請求の範囲】
【請求項１】
潮流発電装置を兼ねた風力発電装置１は縦回転シャフト２を横回転シャフト３が上下に、貫通し十字となり、左右に風受け回転羽根４が約９０度違えて調節取り付けし、迂回防止板５及び迂回防止板支柱６を設け、回転羽根の下方や横に横回転羽根ストッパー７を縦シャフトに固定し、羽根４の外周部に羽根の回転誘導折り曲げ１８を設け、摩擦する部位にはベアリング９を設け、加速回転ボックス１１で数十倍等に高速回転させ、複数の発電機１０を風速によって次々に作動させ、加速回転ボックス内にはブレーキを設け、又縦回転シャフトにブレーキ付シャフト受け２４を設け、羽根は回転誘導折り曲げに風圧を受け、自動的に正回転し垂直と成り、縦シャフトに段違いに同じ角度で回転羽根をつけることにより、同方向のすべての羽根が垂直となり、５枚１０枚、数十枚等、縦に長い超大型羽根が瞬時に出来上がり風圧を受け、風下付近に至ると、いっせいに約９０度逆回転し水平で風上に向かう。垂直になった羽根尾部が下ストッパーに当たる前に、羽根バネでストッパー衝撃速度を緩めて止まり、横ストッパーにも同時に羽根バネで衝撃速度を緩め、羽根尾部の頭部より長い部分の重さによって緩く止まるよう羽根位置、角度調節可能とし、風上付近に至ったとき回転誘導折り曲げに受ける風力で、全方向からの流れを一斉に一定方向に自動回転を繰り返すことを特徴とする、潮流発電装置を兼ねた風力発電装置１．
【請求項２】
強風の吹く所によって横回転羽根および迂回防止板に通風路を設け、風圧を下げ、突風などの多い地では空気を逃がし、少なく風圧を受け、風力の状況に応じて安全性を確保せしめることを特徴とする、請求項１の潮流発電装置を兼ねた風力発電装置１。
【請求項３】
潮流発電装置として用いる場合、請求項１に加え、杭８に潮位可変リング１６を設け、本体上部に浮き１５や、碇２１で固定し、潮位調節波浪吸収バネで次々に横に連結し、水深の深さによって羽根を下へ５段１０段と重ね、大量の水圧を受け、全方向からの流れを一定方向に自動回転運動し、発電機１０や加速回転ボックス１１を上又は下に設けることを特徴とする、請求項１の潮流発電装置を兼ねた風力発電装置１
【請求項４】
寒冷地や雪害の地では積雪や氷結して回転が止まらないよう迂回防止板５、や横回転シャフト及びストッパーのガイドレール１７を加熱し、氷結しないようにし、南極北極等寒冷地でも風力で発電を可能ならしめる特徴の、請求項１の潮流発電装置を兼ねた風力発電装置１。
【請求項５】
小型軽量化しかつ移動組み立て式にし、地震被災地や津波被災地、台風等電力の供給が途絶えた場所に急遽海上輸送又は空輸によって設置し、風力や潮流、河川の流れから電力を供給し、人名救助や災害復興をする臨時組み立て式を特徴とする、請求項１の潮流発電装置を兼ねた風力発電装置１。
【発明の詳細な説明】
【技術分野】
【０００１】  この風力発電装置１は風力を全方向から受け、同じ方向に回転しうるものであり、羽根を風上方向から垂直に流れを閉じ、上下の迂回防止板により空気の迂回を防止し羽根に強力な風圧を受け、そのまま押されて風下に半回転し、風下時点では羽根が約９０度回転し水平に開いて抵抗を少なく半回転し風上に達し、再び約９０度逆回転することによって風力を受け、水平と垂直を繰り返して回転し、電力を発電する風力発電装置１。
【背景技術】
【０００２】従来の風力発電では風力が羽根に当たって上下に又は左右に迂回し全風力の僅かな力だけが回転運動を発生させてきた。したがって羽根に受ける風圧が弱く、かなり大きな羽根や強い風力で回転運動が生じていた。風力が足りなく羽根が回転しない場合もあった。【０００３】従来の風力発電ではかなり高所に羽根を設置する為、民家の近くや狭い土地には設置できない欠点があった。【０００４】従来の風車では高さが高いタワー（６４ｍ〜８５ｍ＋羽根３５ｍ）のため倒壊の際大きな事故になる危険性がある。風力発電マニュアル２００５−Ｐ３９参照。【０００５】従来の風車は羽根が３方に長く張り出し回転するため自然景観を破壊して居る。【０００６】回転羽根が長い（３５ｍ）ためかなり広い回転範囲７０ｍ４方を必要としてきた。７０ｍ四方、高さ約１００ｍまでを占有してきた。【０００７】風向を判断し風向に羽根を向ける方行舵が必要であった。が本発明では全方向から風を受け回転するため方向舵の必要が無い。
【先行技術文献】
【特許文献１】特願２００７−１１７７００は風車の回転方向に対し逆方向の風が風車に当たらないようエアガイド２を要している。が本発明には無い。
【特許文献２】特願２００７−１０５１８７はシャフトに複数の翼を上段下段に有し固定するが本発明は固定しない。
【特許文献３】特願２００７−０８２８８３はシャフトに翼を固定しているが本発明では固定していない。
【特許文献４】
【０００８】特願２００６−１６８７６９はシャフトに垂直羽根型を固定して居るが本発明は固定しない。
【特許文献５】特願平０７−２１２２４０は各羽根１２の開口部１２ｂを有するが本発明には無い。
【非特許文献】
【０００９】風力発電マニュアル２００５牛山和泉監修日本自然エネルギー編著  Ｐ３９、風車の設置可能なスペースは７５Ｍ×７５Ｍの面積を占有する。重量は４９トン・・とあるが当発明は多くの面積を必要とせず重量も軽い。
【発明の概要】
【発明が解決しようとする課題】
【００１０】化石燃料による地球温暖化が世界的な規模で展開され、動植物の生態系に影響を与え、人間の生活環境にも甚大な悪影響を与えている。温暖化ガスが地球を変化させ続けている。【００１１】原子力発電では放射能に関連して未曾有の危険性を膨張させている。放射能の危険処理は永久に続き終わる可能性はない。
【課題を解決するための手段】
【００１２】この発明は自然界に常に存在する風のエネルギーを利用し、温暖化ガスを発生することなく膨大な電力エネルギーを確保するものである。
この発明は地球上のあらゆる表面を流れている風力のエネルギーを強力な回転運動に変え、その膨大なエネルギーを利用して電力を発生させ、地球の温暖化を完全にストップさせ、動植物の生態系をよみがえらせ、人間の生活環境を良好なものにするものである。
迂回防止板の間の風力は、垂直状態の羽根を風下へと押し風下に至る、風上では回転誘導折り曲げに風を受け自動的に回転を始める。風下では羽根に受ける風力が少なくなり回転誘導折り曲げに逆方向から風を受けるため同時回転し、片方が垂直となり片方は水平となる。横回転羽根は横シャフトより上が狭く下が広いことによって、広いほうが下ストッパーに接近し垂直となり半回転した後約９０度逆回転して水平となり上横ストッパーに接近する。この発明は横シャフトが縦シャフトを貫通し連続しているため片方が水平となると片方は垂直となる。水平と垂直を繰り返しながら縦シャフトを回転させるものである。また左右の羽根を約９０度鈍角又は鋭角に設定し調節することにより羽根がストッパーへの衝撃も無く回転運動が繰り返されるものである。１空間面積当たりの風量を有効に回転力として利用する長所をもつものである。【００１３】  この発明は放射能の危険も無く、エネルギーを全く安全に安価にしかも永遠に確保せしめるものである。また寒冷地用として上迂回防止板を大きく張り出たせ、屋根の働きもさせて雪が入り込みにくくし、風だけが通過するようにし、かつ迂回防止板や羽根ガイド版ストッパーガイドレール等に氷結防止のため加熱具を付設することによって寒冷地でも風力発電を可能ならしめたものである。
この発明は風さえあれば南極や北極等でもすぐ発電できる長所を持つものである。【００１４】  横回転羽根が垂直となり風力を受けるとき、迂回防止板によって風力損失を防ぐため極めて強い風圧となり回転運動を起こすものであり、また弱い風力でも充分に発電しうる能力を持つものである。この発明を小型化し、かつ軽量化することによって組み立て式発電機として、必要な地域に移動も可能であり、地震被災地や津波被災地、台風など天災事変の場所でも組み立てが可能であり、人名救助や災害通信連絡や、災害復興に大いに役立つものである。【００１５】  この装置は高く組み上げるほど有力な風力エネルギーが得られ、横に連結するほど多くのエネルギーが確保でき、上階に高く積み上げてゆく事によってより有効な風力を受け発電でき、常に全く原材料費の要らない風力発電に依よる電力エネルギーが得られるものである。【００１６】  この風力発電装置は、ビルの屋上や学校、工場の屋上、平地や丘陵地、高層マンションの屋上、海岸付近、山頂や尾根、海洋上や船舶の上、港、筏の上、無人島や半島、大草原、高原、大砂漠等全ての場所に設置可能であり、どの地域からも自然の風力から電力エネルギーが得られるものである。【００１７】  羽根が長く張り出さないので自然景観を破壊しない、また同じ面積で同じ高さでは数十倍ものエネルギーが得られるものである。【００１８】  直径が少ない、広範囲の土地を必要としない、上や横に連続して設置可能であり、発電ビル等では同階に多くの風力発電装置１を設置、多重階に設置可能であり極めて多くの電力エネルギーを得るものである。【００１９】  全ての方向からの風力を受け１定方向にのみ回転するため方向舵を必要としない。急に風向きや潮流が変わっても即対応でき、同じ方向に回転運動をし、エネルギーを確保できる長所を有するものである。
【応用例１】
【００２０】  発生した電力で水を電気分解し酸素と水素を取り出し、水素や酸素による発電によって電力が得られ、必要な時に必要な量の電力を発生させることが出来るものである。全く産業に適しない場所や離島、山脈の中等でも風は万遍なく吹いている。この発明はどの地域でも充分な豊かな電力や酸素、水素を資源として得ることが出来る特徴のものである。
【応用例２】
【００２１】  この発明は潮流発電にも応用出来るものである。全体をフエンスでかこみ水中の浮遊物、流木や海藻等を防ぎ、本体を浮きや杭、碇等を付設することによって水面に浮上させ潮位による変化に対応しながら、潮流発電が可能となるものである。また浮きや杭、碇等を付設した発電装置は海や河川で横に連結して拡張することによって潮流発電装置軍団を形成でき極めて広範囲から、膨大な電力を得るものでありエネルギーを汲み上げた後の水には何の変化も無く大気汚染などを全く起こさない特徴がある。
【応用例３】
【００２２】  水深の浅い海岸、瀬戸内海や浜名湖の河口に設置し水中に潮流発電装置を設け、コンクリート脚や杭、碇、鉄塔等により海中に建て、洋上には何段にも積みかさね、風力発電装置と潮流発電装置とを同時に用い、干潮満潮時には風が無くても電力が得られ、浜風の吹くとき風力発電装置が働き大きな電力が得られるものである。風力と潮流の両方から強大な電力エネルギーを確保させる特徴をもつものである。浜名湖では毎日約６０００万トンの海水が流入流出する。水力発電ダムの数十倍である。このエネルギーを電力に替えることが可能であります。瀬戸内海では浜名湖の更に数十倍のエネルギーが毎日全く利用されずに流れている。
【応用例４】
【００２３】  電力の不要な時間に水を電機分解し酸素と水素を得、必要な時間に水素を燃焼して火力発電し、酸素の一部を浜名湖や瀬戸内海の海中に放流することによってプランクトンや稚魚、魚介類の飼育や成長を促し海中牧場を形成させ、赤潮被害を完全に防ぎ、優良な漁場を形成せしめるものである。
【発明の効果】
【００２４】  風力発電装置は地球温暖化を完全に止め、社会のエネルギー不足を完全に解決し人間社会に豊かな電力エネルギーを供給するものである。
この発明は地球温暖化を完全に止め、しかも温暖化ガス等の公害を全く出さない。自然の風だけのエネルギーによる風力発電で、その量は無限であり、材料費は無料である。しかも風は世界中くまなく吹き流れている。世界を挙げて地球温暖化を防止させる長所を持つものである。また応用例のごとく不要時の電力で水を電気分解することによって水素と酸素を発生させ水素はそのまま水素燃料発電の原料として使用し、酸素も様々な分野で利用可能であり、発電の際発生する水は飲料水としても利用可能なものである。また潮流発電として利用することによって河川や国の周辺、島々の周辺から、膨大な潮流エネルギーが確保でき大産業革命を起こす原動力となるものである。
【発明を実施するための形態】
【００２５】  この風力発電装置はビルの屋上や学校、工場の屋上、平地や丘陵地、高層マンションの屋上、海岸付近、港、山頂や尾根、海洋上や船舶の上、筏の上、無人島や半島、浜名湖河口付近や瀬戸内海の各地、南極北極、ツンドラ地帯、大砂漠等地球上のどの地域でも風の持つ自然エネルギーから羽根を回転させ風力発電装置によって電力エネルギーを確保するものである。また河川や海中に潮流発電装置として用いた場合、浜名湖や瀬戸内海に用いることによって現在の水力発電所の数十倍か数百倍のエネルギーを全く公害なしで確保し得る特徴を持つものである。
【図面の簡単な説明】
【００２６】
【図１】正面説明図
【図２】正面図Ａ−Ａ線間の説明平面図
【図３】羽根回転部分説明斜視図
【図４】横シャフト及び羽根の説明図
【図５】ストッパーと羽根の部分説明図
【図６】応用例連続使用例の正面説明図
【図７】潮流発電兼用応用例の説明図
【図８】海洋設置の平面説明図
【図９】海洋設置側面説明図
【図１０】建物屋上の応用例の説明図
【図１１】風力発電ビルの応用例図
【符号の説明】
【００２７】１  風力発電装置２  縦回転シャフト３  横回転シャフト４  回転羽根５  迂回防止板６  迂回防止板支柱７  横回転羽根ストッパー８  杭９  ベアリング１０  発電機１１  加速回転ボックス１２  潮位調節波浪吸収バネ１３  ストッパーの衝撃防止バネ１４  フエンス１５  浮き１６  潮位対応可変リング１７  横回転シャフト及びストッパーのガイドレール１８  羽根の回転誘導折り曲げ１９  高層ビル２０  作業用フオーク２１  碇２２  羽根頭部２３  羽根尾部２４  ブレーキ付シャフト受け２５  フエンス用浮き
【図１】
0004702652.tif 000002
【図２】
0004702652.tif 000003
【図３】
0004702652.tif 000004
【図４】
0004702652.tif 000005
【図５】
0004702652.tif 000006
【図６】
0004702652.tif 000007
【図７】
0004702652.tif 000008
【図８】
0004702652.tif 000009
【図９】
0004702652.tif 000010
【図１０】
0004702652.tif 000011
【図１１】
0004702652.tif 000012